(57)【要約】      （修正有）【課題】立体映像観賞用メガネの左右の視野夫々の前面又は後面に視度補正レンズを着脱自在な構造にして、個々の観賞者毎に異なる視度に応じて要求される視度補正レンズを交換して、明瞭な立体視を得られる立体映像観賞用メガネを提供する。【解決手段】立体映像観賞用メガネ１０の前面に視度補正用レンズホルダ部１１を付設し、前記視度補正用レンズホルダ部１１にスロット１３を設け、前記スロット１３に視度補正用レンズ２０Ｒ、２０Ｌを挿し替えられる構成とする。【選択図】図１
2011138108.tif 000002
【特許請求の範囲】
【請求項１】
二眼立体視に使用する視野分離用メガネの左右夫々の視野の前面又は後面に視度補正用レンズを取り付けるためにメガネフレーム上に視度補正用レンズホルダを設けて視度補正用レンズを交換可能に構成した立体映像観賞用メガネ。
【請求項２】
レンズの外形を円形以外の形状にしてメガネのレンズホルダ部に取り付けて使用する時にレンズの回転を防止するように構成した視度補正用レンズ。
【請求項３】
二眼立体視に使用する視野分離用メガネの左右夫々の視野の前面又は後面に視度補正用レンズを取り付けるためにメガネフレーム上に視度補正用レンズを係止するためのピンを突設し、視度補正用レンズを交換可能に構成した立体映像観賞用メガネ。
【請求項４】
メガネフレームに突設した二本のピンで係止するための孔をメレンズの左右端付近夫々の位置に開穿した視度補正用レンズ。
【発明の詳細な説明】
【技術分野】
【０００１】
本発明は、二眼立体視に使用するための立体映像観賞用メガネであって、時分割表示方式の立体映像を観賞するための視野分離用メガネであり特に立体映像表示装置の表示画面に連動させて左右の視野を開閉する方式の立体メガネにおいて視度補正を図ったものである。
【背景技術】
【０００２】
従来、立体映像の左右の視野を分離するためには、左右互いに直交する直線偏光、或いは左右互いに反対方向に旋回する円偏光によって重ねて表示（投影による）し、鑑賞には、表示方式に応じて、左右互いに直交する偏光メガネ、又は、互いに反対方向の円偏光メガネを使用して分離視していた。しかし、近年、直視型ディスプレイの画面サイズが大型化するに伴って、直視型ディスプレイにおいても立体映像の左右用の映像を表示し、何らかの方法で左右の視野を分離視することが試みられている。
【０００３】
また、直視型ディスプレイにおいては左右用の映像を同時に表示することが難しいため（但し、１ライン毎に異なる方向の偏光で表示するものは現存する）同一方向の直線偏光によって自分割表示し、鑑賞側のメガネを工夫して分離視することも提案されている。しかし、直線偏光を用いる宿命としてクロストークの問題を避けることは困難である。（例えば、特許文献１）
【０００４】
また、人の視力(視度)は個々の人々により、夫々異なり、多くの人々は通常の生活においても視度補正レンズ(メガネ)を使用する人は多い。また、観る対象距離によっても夫々に異なった補正が必要になる。これは立体映像を観るにおいても同様であるが、従来、立体映像における視度補正は、左右二つの画面を並置する方式のステレオビュワーにおいてビューイングレンズの位置を光軸方向に調整して視度補正を行うことは実施されているが、テレビ及びパソコンを観るための立体映像観賞用メガネにおいては視度補正レンズを具設したメガネは特許文献等にも類例がないようである。
【０００５】
更に、液晶ディスプレイ(LCD)、又はプラズマディスプレイ(PDP)、その他の、ディスプレイ上に時分割によって交互に表示する方式の立体映像表示装置によって表示した立体映像を観賞するための視野分離用メガネとして液晶シャッタメガネ等を使用する必要がある。
【０００６】
従って、現在視度補正用メガネを使用している人が立体映像を観賞する場合、通常使用している視度補正用メガネの上に視野分離用メガネを重ねて使用しているのが実情である。  
【０００７】
しかし、二つのメガネを重ねて使用するのはメガネがズレ落ちたりする等の使用上の不満が指摘されている。そのために「度入りの立体メガネ」（３Ｄ度入りメガネ）が発売されている。（例えば、特許文献１参照）
【先行技術文献】
【特許文献】
【０００８】
【特許文献１】特開２００２−０８２３０７
【発明の概要】
【発明が解決しようとする課題】
【０００９】
もし、文献１に記載されているように立体メガネに度入りレンズを固定（記事には“入れた”と記載されているが、着脱とは記載されていないので固定と解釈するのが妥当）すれば、視度補正用メガネの上に立体視するための視野分離用メガネを重ねて使用する必要は無いという利点は生ずるものの、次のような問題が新たに発生する。
ａ：人の視度は個々の人毎に異なるため専用のメガネが必要であり、また、人々の間でメガネを貸借又は譲渡が不可能になる。
ｂ：同一人物が使用する場合であっても立体テレビを見る場合と、立体パソコンを見る場合のように、観る対象物(視距離)が異なる場合、異なる(視度補正用の)メガネが必要になる。
【００１０】
そこで、立体映像を見るための視野分離用メガネ（シャッタメガネ）を人々の間で共用可能する必要があり、また、視距離が異なる場合であっても視野分離用メガネ自体を交換不要にするための解決すべき技術的課題が生じてくるのであり、本発明は、この課題を解決することを目的とする。
【課題を解決するための手段】
【００１１】
本発明は上記目的を達成するために提案されたものであり、請求項１記載の発明は、立体映像観賞用メガネであって、液晶シャッタメガネの左右夫々の視野の前面又は後面に視度補正用レンズを取り付けるためのホルダ部を設けた立体映像観賞用メガネを提供する。
【００１２】
この構成によれば、観賞者の視度及び視距離に応じた視度補正用レンズを立体映像観賞用メガネの左右夫々の視野の前面又は後面のホルダ部に挿入することによってメガネの視度を自由に変えることができる。
【００１３】
請求項２記載の発明は、立体映像観賞用メガネのホルダ部に挿入するための視度補正用レンズであって、その前後方向の投影形状、即ち外径(外形)を円形以外の形状(例えば楕円形又は多角形)に形成した視度補正用レンズを提供する。
【００１４】
この構成によれば、立体映像観賞用メガネのホルダ部に取り付けた場合において視度補正用レンズの回転を容易に防止できる。また、視度補正用レンズの向きを一定方向に挿入する場合の方向の識別及び挿入を容易にしている。
【００１５】
請求項３記載の発明はメガネフレーム上に視度補正用レンズを係止するためのピンを突設した立体映像観賞用メガネを提供する。
【００１６】
この構成によれば、観賞者の視度及び視距離に応じた視度補正用レンズを立体映像観賞用メガネの左右夫々の視野上に視度補正用レンズを着脱交換することにやってメガネの視度を自由に変えることができる。
【００１７】
請求項４記載の発明はレンズの左右両端付近夫々の位置に係止用孔を開穿した視度補正用レンズを提供する。
【００１８】
この構成によれば、簡易な構造であっても視度補正用レンズの着脱が容易にできる。
【発明の効果】
【００１９】
請求項１記載の発明は、立体映像観賞用メガネの左右夫々の前面又は後面に視度補正レンズを取り付けるためのホルダ部を設け、視度補正レンズを挿し替え可能に構造として観賞者毎、及び観賞距離毎に適応した視度補正レンズを差し換え替えることによって観賞者(メガネの使用者)が代わっても、また、観賞距離が変わった場合であっても視度補正レンズを挿し替えるのみで対処することができる。
【００２０】
請求項２記載の発明は、視度補正レンズの外形(外径)を円形以外の形状にすることによって視度補正レンズが回転することを防止している。これは、乱視用補正レンズを使用する場合に効果的で、乱視用レンズは乱視軸を一定方向に保つことが必要なためである。
【００２１】
請求項３記載の発明は、前記請求項１の他の実施形態で効果は請求項１のものと同様である。
【００２２】
請求項４記載の発明は、レンズを二ケ所のピンで係止することによってレンズの回転が防止されるためレンズの外形が円形であっても良いことである。
【００２３】
本発明の実施例に係わる立体映像観賞用メガネを示すものである。
【図面の簡単な説明】
【００２４】
【図１】立体映像観賞用メガネ及び視度補正用レンズの一実施形態
【図２】視度補正レンズ
【図３】立体映像観賞用メガネ及び視度補正用レンズの他の実施形態
【図４】図３の立体映像観賞用メガネの視度補正用レンズの詳細図
【発明を実施するための形態】
【００２５】
本発明は、立体映像観賞用メガネの左右の視野夫々の前面又は後面に視度補正レンズを着脱自在構造にして個々の観賞者毎に異なる視度に応じて要求される視度補正及び観賞距離によって要求される視度補正に応じて視度補正レンズを交換して明瞭な立体視を得るものである。
【００２６】
本発明の構成を図によって説明する。図１は立体映像観賞用メガネ10の前面に付設した視度補正用レンズホルダ部11の構成図でホルダ部11にはスロット13が設けられていて、スロット13に視度補正用レンズ20挿入し保持している。また、スロット13は底辺が水平のスロット底辺部14を有していてこの底辺部14に視度補正用レンズ20の下部直線部22を当接して上下方向を位置決め固定している。更にホルダ部11の中央部にはリーフスプリング１２が設置されていて視度補正用レンズ20をスロット13に対し外側に押し付けて左右方向の位置決めをすると同時に視度補正用レンズ20の脱落を防止している。なお、スロット13には突起15が設けられていて、この突起15も視度補正用レンズ15の脱落を防止している。この突起15はリーフスプリング等で代用（図示省略）することもできる。また、構成上は必須ではない。
【実施例】
【００２７】
図２は、視度補正用レンズ20の正面図で、左右両端部21が円弧又は曲線上に形成されて
いる。これは図1のスロット13に挿入する場合の操作を容易にしている。更に前記リーフスプリング12及び突起15と相俟って脱落防止効果を確実にするためのものである。
【００２８】
また、視度補正用レンズ30のツマミ23は、例えば樹脂やアルミニューム等を接着したもので、着脱時に、このツマミ23の他の部分に指が触れてレンズが汚れることを防止するものであると同時に、この部分にレンズの種別を認識する記号等を記入しておけば使用時の視認性が向上する。例えば、立体テレビを観る場合に必要な左用のレンズにＴＬ、右用のレンズにＴＲ、パソコンを観る場合に必要な左用のレンズにＰＬ、右用のレンズにＰＲ等の記号を記入(刻む)しておけば使用上極めて便利である。
【００２９】
図３は、立体映像観用メガネの他の実施形態で、レンズ取り付け用ピンを付設した立体映像観賞用メガネ30の構成図である。立体映像観賞用メガネ30のフレーム31上にはレンズ取り付け用ピン33が立設されていて、該レンズ取り付け用ピン33に視度補正用レンズ32Ｌ及び32Ｒに開穿された孔33を系止することによってメガネフレームの前面に視度補正用レンズ32Ｌ及び32Ｒを固定するように構成したものである。この場合、レンズは左右二つの孔で固定されるため回転方向の位置は自ずと固定されるのでレンズの外形は円形であっても差し支えない。
【００３０】
図４は、レンズ取り付け部の詳細で、レンズ32の孔34をメガネフレーム31上に立設したレンズ取り付け用ピン33によって係止している状態である。図示のレンズ取り付け用ピン33は、円柱状のピンの中央にスリットを入れた割りピン状のものでスプリング効果によってレンズ32の着脱を容易にするとともに取り付けを確実(容易に脱落しない)にしている。なお、レンズ取り付け用ピン33は単なる円柱状のものを使用しても差し支えなく、工作上の問題も加味して考慮すべきである。
【００３１】
なお、本発明は、本発明の精神を逸脱しない限り種々の改変を為すことができ、そして、本発明が該改変されたものにも及ぶことは当然である。
【産業上の利用可能性】
【００３２】
本発明による立体映像観賞用メガネは、通常視度補正レンズを必要とする人が立体映像を観る場合にも普通のメガネと立体映像観賞メガネとを重ねて使用することから生ずる煩わしさを解消するものである。同時に対象距離によって（立体テレビを見る場合と、立体パソコンを見る場合等で視距離が異なる）メガネを交換する必要から解放するものである。今後の立体映像機器の普及のためには不可欠である。
【符号の説明】
【００３３】
10    立体映像観賞用メガネ
11    レンズホルダ部
12    リーフスプリング
13    スロット
14    スロット底片部
15    突起
20    視度補正用レンズ
20Ｌ   視度補正用レンズ（左）
20Ｒ   視度補正用レンズ（右）
21    左右両端部
22    下部直線部
23    ツマミ
30    立体映像観賞用メガネ
31    メガネフレーム
32Ｌ   視度補正用レンズ（左）
32Ｒ   視度補正用レンズ（右）
33    レンズ取り付け用ピン
34    孔
【図１】
2011138108.tif 000003
【図２】
2011138108.tif 000004
【図３】
2011138108.tif 000005
【図４】
2011138108.tif 000006